(57)【要約】【課題】接地作業の良好な作業性を実現でき、しかも確実で安定的な接地状態を維持し得る接地用具を提供する。【解決手段】高所に配設されている接地部位に先端部を接触させることにより前記接地部位およびこの接地部位に接続されている電気機器の接地を行うための接地用具であって、内筒１２に対してその軸方向に伸縮可能に嵌め込まれた外筒１１と、外筒１１の先端開口部に固定され、可撓性を有するリング状の導電部材で形成されたアースフック１３と、先端が前記アースフック１３に接続されるとともに、基端が接地電位の部位に接続されるアース用リード線１４とを有する。【選択図】  図１
2012023942.tif 000002
【特許請求の範囲】
【請求項１】
高所に配設されている接地部位に先端部を接触させることにより前記接地部位およびこの接地部位に接続されている電気機器の接地を行うための接地用具であって、
内筒に対してその軸方向に伸縮可能に嵌め込まれた外筒と、
外筒の先端開口部に固定され、可撓性を有するリング状の導電部材で形成されたアースフックと、
先端が前記アースフックに接続されるとともに、基端が接地電位の部位に接続されるアース用リード線とを有することを特徴とする接地用具。
【請求項２】
請求項１に記載する接地用具において、
前記アース用リード線は、前記外筒および内筒の内部を軸方向に貫通して内筒の基端部から外部に導出されていることを特徴とする接地用具。
【請求項３】
請求項１または請求項２に記載する接地用具において、
前記アースフックはアルミの編組線で形成したことを特徴とする接地用具。
【請求項４】
請求項１乃至請求項３の何れか一つに記載する接地用具において、
前記外筒側から前記内筒の表面を押圧して前記内筒に対する前記外筒の位置を規制させる固定装置を設けたことを特徴とする接地用具。
【発明の詳細な説明】
【技術分野】
【０００１】
本発明は接地用具に関し、特にアルミ線が接続されているケーブルヘッドへの乙アースの取付の際に適用して有用なものである。
【背景技術】
【０００２】
図３は架空の送電線とケーブルとの接続部分の一般的な構造を概念的に示す説明図である。同図に示すように、三相の各相（Ｒ相、Ｇ相、Ｂ相）毎に設けられているケーブル１は、架台２にそれぞれ配設されたケーブルヘッド３を介して送電線４に接続されている。さらに詳言すると、ケーブル１は、ケーブルヘッド３の気中終端接続箱５の上端から上方に突出させた導体引出棒６を、固定端子７を介して送電線４に接続されている。
【０００３】
かかる接続構造は、送電線４からケーブル１を介して電力を供給する場合の電気設備であって、例えば変電所から地下ケーブルを介して配電する配電系統において汎用されている。
【０００４】
かかる電気設備の事故時の復旧作業や日常の保守・点検は、当該電気設備を含む所定の範囲の配電系統を停電させて行う。停電させた後、通常時には充電部となる活線部に電荷が存在しないことを確認した後、前記活線部に乙アースと呼称される接地を施し、かかる状態で保守・点検等の所定の作業を行っている。
【０００５】
ここで、送電線４にアルミ線を使用している場合、乙アースの取付けは固定端子７に設けた接地取付端子８を介して行うようになっている。
【０００６】
さらに詳言すると、図３のＡ部分を抽出・拡大した図４に明示するように、接地取付端子８は羽子板状の固定端子７の各側面から水平方向にそれぞれ突出するロッド状で、且つ各先端部が上方に折曲してあるフック状の部材である。乙アースの取付けはアースロッド（図示せず）の先端に取付けた導電部材であるフックを接地取付端子８に接触させることにより行っている。すなわち、かかる接地作業は地上の作業員がアースロッドを持って先端部のフックを高所（例えば３〜５ｍ上方）の接地取付端子８に引っかけることにより行う。
【０００７】
ところが、気中終端接続箱５の外周面に配設されている碍管９の半径Φは、ケーブルヘッド３の中心線から接地取付端子８の水平方向の先端までの距離Ｌよりも大きい。すなわち、一般にΦ＞Ｌとなっている。
【０００８】
このため、アースロッドは接地取付端子８に対して斜め下方から伸ばして接地取付端子８に接近させる必要がある。アースロッドを垂直に立てたまま接地取付端子８にフックを引っかけようとしてもアースロッドが碍管９に干渉し、かかる態様での作業ができないからである。
【０００９】
この結果、従来技術においては乙アース取付作業に時間を要するばかりでなく、フックが接地取付端子８にうまく取付かないという問題も生じている。また、このこととも相俟って保守・点検等の作業中にフックが接地取付端子８から外れる虞もある。
【００１０】
かかる問題は接地取付端子８の距離Ｌを碍管９の半径Φよりも長くすれば解決できるが既存の設備の変更・改良は別途時間もコストも必要となり、この点が新たな問題となり得策ではない。
【００１１】
なお、この種の接地用具を開示する公知文献として特許文献１〜特許文献３が存在する。しかしながら、これらは全て固定金物と操作棒との組み合わせで、端子部分と送電部品との抜け止め構造や首振り構造を開示するもので、上述の如き乙アース取付時の問題を解決し得るものとはなっていない。
【先行技術文献】
【特許文献】
【００１２】
【特許文献１】特開平０７−１２３５５２号公報
【特許文献２】特開２０００−２７８８３０号公報
【特許文献３】特開２００７−０７７５９２号公報
【発明の概要】
【発明が解決しようとする課題】
【００１３】
本発明は、上記従来技術の問題点に鑑み、接地作業の良好な作業性を実現でき、しかも確実で安定的な接地状態を維持し得る接地用具を提供することを目的とする。
【課題を解決するための手段】
【００１４】
本発明の第１の態様は、
高所に配設されている接地部位に先端部を接触させることにより前記接地部位およびこの接地部位に接続されている電気機器の接地を行うための接地用具であって、
内筒に対してその軸方向に伸縮可能に嵌め込まれた外筒と、
外筒の先端開口部に固定され、可撓性を有するリング状の導電部材で形成されたアースフックと、
先端が前記アースフックに接続されるとともに、基端が接地電位の部位に接続されるアース用リード線とを有することを特徴とする接地用具にある。
【００１５】
本発明の第２の態様は、
第１の態様に記載する接地用具において、
前記アース用リード線は、前記外筒および内筒の内部を軸方向に貫通して内筒の基端部から外部に導出されていることを特徴とする接地用具にある。
【００１６】
本発明の第３の態様は、
第１または第２の態様に記載する接地用具において、
前記アースフックはアルミの編組線で形成したことを特徴とする接地用具にある。
【００１７】
本発明の第４の態様は、
第１乃至第３の態様の何れか一つに記載する接地用具において、
前記外筒側から前記内筒の表面を押圧して前記内筒に対する前記外筒の位置を規制させる固定装置を設けたことを特徴とする接地用具にある。
【発明の効果】
【００１８】
本発明によれば、高所の接地部位にアースフックを引っ掛けた状態で内筒に対して外筒を軸方向に沿い伸張することで、アースフックで形成されるループを外筒の先端開口部からその内部に引き込むことができる。この結果、アースフックで形成されるループが縮小されて前記接地部位に強固に固定される。
【００１９】
この結果、本発明によれば、高所の接地部位の斜め下方からでも容易にアースフックのループを接地部位に引っ掛けることができ、しかも引っ掛けたアースフックのループを絞ることでアースフックの接地部位に対する固定を強固で安定的なものとすることができる。
【００２０】
この結果、良好なアースを取った状態で、事故復旧や保守・点検等の所定の作業を安全に行うことができる。
【００２１】
ここで、固定装置により外筒の内筒に対する位置をロックすることで、前述の如きアースフックの接地部位に対する固定をより安定したものとすることができる。
【００２２】
さらに、アースフックをアルミの編組線で形成した場合には、当該接地用具の、特に先端部の重量を軽量化し得るので、外筒および内筒を支持しての所定の接地作業の労力が軽減される結果、この作業の作業性を良好なものとすることができる。
【図面の簡単な説明】
【００２３】
【図１】本発明の実施の形態に係る接地用具を示す正面図である。
【図２】図１に示す実施の形態に係る接地用具を用いた接地作業の態様を示す図で、（ａ）は接地取付端子にアースフックを装着した状態を示す説明図、（ｂ）はアースフックが直線になるように引っ張った状態を示す説明図、（ｃ）はアースフックを接地取付端子に最終的に取付けた状態を示す説明図である。
【図３】架空の送電線とケーブルとの接続部分の一般的な構造を概念的に示す説明図である。
【図４】図３のＡ部分を抽出・拡大して示す拡大図である。
【発明を実施するための形態】
【００２４】
以下、本発明の実施の形態を図面に基づき詳細に説明する。
【００２５】
図１は本発明の実施の形態に係る接地用具を示す正面図である。同図に示すように、本形態に係る接地用具は、外筒１１、内筒１２、アースフック１３およびアース用リード線１４を有している。ここで外筒１１は内筒１２に嵌め込まれており、内筒１２に対しその軸方向に伸縮可能に構成してある。ここで、外筒１１および内筒１２の材質は特には限定されない。事前に電荷が存在しないことが検知されている導電部を接地するものであるので、原理的には導電部材で形成しても構わない。ただ、近隣に高圧充電部が存在し、かかる高圧充電部からの誘導が考えられる場合には絶縁部材で形成したほうが好ましい。
【００２６】
外筒１１の内筒１２に対する軸方向の位置は、外筒１１の基端部に設けた固定装置１５でクランプし得るようになっている。かかる固定装置１５は、例えば雄ねじ部を有する締結ボルトを外筒１１に形成した雌ねじ部に螺合させて締結ボルトの先端で内筒１２の外周面を押圧するような構成とすることで良好に構成することができる。
【００２７】
アースフック１３は、リング状に形成された可撓性を有する導電性の部材であり、その一部が外筒１１の先端の開口部に固定部材１７で固着してあり、同時にアース用リード線１４の先端が接続してある。本形態におけるアースフック１３はアルミの編組線で形成してある。このようにアルミの編組線でアースフック１３を形成することは必須ではないが、アルミの編組線で形成することにより、当該部分の可及的な軽量化を図ることができ、接地作業の作業負荷を軽減し得る。
【００２８】
アース用リード線１４は、前述の如く先端がアースフック１３に接続され、外筒１１および内筒１２の内部を軸方向に貫通して内筒１２の基端部から外部に導出されており、その基端部には接地用の止め具１６が接続してある。このように、アース用リード線１４が外筒１１および内筒１２の内部を軸方向に貫通して内筒１２の基端部から外部に導出されるように構成することは必須ではない。すなわち、アース用リード線１４はその先端がアースフック１３に接続されていれば接地用具としての機能は発揮させることはできる。ただ、本形態の如く外筒１１および内筒１２の内部を貫通して内筒１２の基端部から外部に導出されるように構成することによりアース用リード線１４が他の部分に絡まる等の不都合を未然に防止することができる。この結果、接地作業の作業性が良好なものとなる。
【００２９】
止め具１６は、例えば鉄柱等、実質的に大地電位となっている部分に接続され、このことによりアースフック１３を固定した導電部を接地電位とすることができる。本形態においてアースフック１３は図３および図４に示す接地取付端子８に固定される。この結果、接地取付端子８および固定端子７を介してこれと同電位となるケーブル１および送電線４を接地電位とすることができる。
【００３０】
かかる構成の接地用具は、図１に示すようにリング状のアースフック１３を外筒１１の先端開口部から突出させた状態で、内筒１２を持って外筒１１を軸方向に沿って先端側に伸長すれば、アースフック１３が徐々に外筒１１の内部に引き込まれる。この結果、外筒１１の先端部から外部に臨むアースフック１３のリング形状が縮小される。かくして、アースフック１３を導電部に強固に固定することができる。かかる伸長位置で固定装置１５により外筒１１の位置を内筒１２に対してロックすることによりアースフック１３を介したアース用リード線１４の導電部に対する固定を安定的なものとすることができる。
【００３１】
図２は本形態に係る接地用具を用いた接地作業の態様を示す図である。同図に基づき、図３および図４に示す接地取付端子８を利用した接地作業の態様を説明する。
【００３２】
先ず、アースフック１３が外筒１１の先端から突出した、図１に示すような状態の接地用具を作業員が手に持って接地取付端子８に接近させ、図２（ａ）に示すようにアースフック１３を上方から接地取付端子８に入れる。その後、図２（ｂ）に示すように、外筒１１および内筒１２（ただし、図２には外筒１１のみを示す；以下同じ）を下方に引張り、アースフック１３が直線状となって接地取付端子８に引っ掛けられた状態とする。かかる状態で内筒１２に対して外筒１１を伸長してアースフック１３を外筒１１の内部に引き込み、外筒１１の先端部から外部に臨むアースフック１３のリング形状を収縮させる。この結果、図２（ｃ）に示すように、アースフック１３が接地取付端子８に強固に固定される。かかる外筒１１の伸長位置で固定装置１５により外筒１１の位置を内筒１２に対してロックする。このことによりアースフック１３を介したアース用リード線１４の接地取付端子８に対する固定を安定的なものとすることができる。最後に、止め具１６（図１参照）を所定の接地部位に固定することにより接地作業を完了し、事故復旧や保守・点検等の所定の作業を行う。
【００３３】
一方、当該接地用具の取外しは、上述の如き接地作業と全く逆の手順で行えば良い。すなわち、止め具１６を外し、固定装置１５によるロック状態を解除した後、外筒１１を内筒１２側に移動させて図２（ｂ）に示す態様とし、その後図２（ａ）に示す態様としてアースフック１３を接地取付端子８から外す。
【００３４】
かかる本形態によれば、接地取付端子８の斜め下方からでも容易にアースフック１３のループを接地取付端子８に引っ掛けることができ、しかも引っ掛けたアースフック１３のループを絞ることでアースフック１３の接地取付端子８に対する固定を強固で安定的なものとすることができる。
【００３５】
この結果、良好な乙アースを取った状態で、事故復旧や保守・点検等の所定の作業を安全に行うことができる。
【００３６】
なお、上記実施の形態では、接地用具のアースフック１３が形成するリングを固定端子７に設けた接地取付端子８に引っかけることにより所定の接地を施す場合について説明したが、接地対象を接地取付端子８に限定する必要はない。アースフック１３が形成するリングを引っ掛けることができるような形状、すなわちロッド状の部材であれば全てに良好に適用できる。例えば、アークホーンを接地対象とする場合にも良好に適用し得る。
【産業上の利用可能性】
【００３７】
本発明は電力設備の保守・運用を行うとともにその事故時の対応を行う産業分野において利用することができる。
【符号の説明】
【００３８】
１  ケーブル
３  ケーブルヘッド
４  送電線
７  固定端子
８  接地取付端子
９  碍管
１１  外筒
１２  内筒
１３  アースフック
１４  アース用リード線
１５  固定装置
１７  固定部材
【図１】
2012023942.tif 000003
【図２】
2012023942.tif 000004
【図３】
2012023942.tif 000005
【図４】
2012023942.tif 000006